(57)【特許請求の範囲】
【請求項１】
薬剤を、入力された処方データに基づいて所定の分包数に分包する薬剤分包装置において、
散剤が未分割の状態で投入される散剤投入部と、
前記散剤投入部に投入された散剤等、薬剤分包装置に供給された薬剤を分包する分包手段と、
薬剤分包装置の各部を制御する制御部とを備え、
前記散剤投入部は、
長手方向に延びるように設けられ、散剤を収容可能な散剤収容枡と、
当該散剤収容枡の内部において長手方向に移動可能とされ、当該長手方向における所定位置にセットされることで当該散剤収容枡の内部を仕切ることが可能な仕切手段と、
当該散剤収容枡の近傍にて長手方向に延びるように設けられた位置表示手段とを有し、
前記制御部は、前記入力された処方データから得られる分包数に基づいて、前記散剤収容枡における前記仕切手段のセット位置を前記位置表示手段に表示させることを特徴とする薬剤分包装置。
【請求項２】
前記位置表示手段は、前記長手方向に並んで配置され、分包数に対応した複数の単位表示体からなることを特徴とする請求項１に記載の薬剤分包装置。
【請求項３】
前記仕切手段は、散剤を分包する場合に、前記散剤収容枡の内部を散剤投入領域と散剤非投入領域とに仕切るものであり、
前記制御部は、前記位置表示手段のうち、前記処方データに基づいた、前記仕切手段のセット位置に対応する単位表示体を第一の態様で表示させ、前記散剤非投入領域に対応する単位表示体を前記第一の態様とは異なる第二の態様で表示させることを特徴とする請求項２に記載の薬剤分包装置。
【請求項４】
前記仕切手段は、散剤を分包する場合に、前記散剤収容枡の内部を散剤投入領域と散剤非投入領域とに仕切るものであり、
前記制御部は、前記位置表示手段のうち、前記処方データに基づいた、前記仕切手段のセット位置に対応する単位表示体を第一の態様で表示させ、前記散剤非投入領域に対応する単位表示体を前記第一の態様とは異なる第二の態様で表示させ、前記散剤投入領域に対応する単位表示体を前記第二の態様と異なる第三の態様で表示させることを特徴とする請求項２に記載の薬剤分包装置。
【請求項５】
前記制御部は、前記仕切手段が前記処方データに基づいたセット位置にセットされると、前記第一の態様で表示がなされていた単位表示体を当該態様とは異なる態様の表示に変化させることを特徴とする請求項３又は４に記載の薬剤分包装置。
【発明の詳細な説明】
【技術分野】
【０００１】
本発明は、薬剤を、入力された処方データに基づいて所定の分包数に分包する薬剤分包装置に関するものである。
【背景技術】
【０００２】
従来から、薬局などに薬剤分包装置が設置されて用いられている。この薬剤分包装置は、図５に示すように散剤投入部５０１と、錠剤投入部５０２と、前記各投入部５０１，５０２に投入された薬剤を包装シートで包む作業を行う分包手段（図示しない）を有している。
【０００３】
この薬剤分包装置５００の使用に際して、ユーザーによって投入された散剤は、まず、散剤投入部５０１に収容される。そして、散剤投入部５０１に収容された散剤が装置内に設けられた分割器（図示しない）で分割され、分包手段により小分けされた状態で包装シートに包まれる。そして、ユーザーによって錠剤投入部５０２に手撒きされた錠剤もまた、分包手段により、散剤とは別に、または、散剤と共に小分けされた状態で包装シートに包まれる。
【０００４】
この薬剤分包装置５００は、処方データが入力され、この処方データに基づいて分包手段を動作させるコントローラ及び制御部を備える。そして、散剤投入部５０１は、長手方向に延びるように設けられた散剤収容枡５０３と、板状の仕切手段５０４とを備える。この仕切手段５０４は、散剤収容枡５０３の内部を長手方向に移動可能とされ、散剤の投入に先立ち、ユーザーによって前記入力された処方データ（より具体的には、散剤収容枡５０３に投入する散剤の分包数）に対応する位置へのセットがなされるものである。なお、この仕切手段５０４は、分包手段で分包すべき分包数を指定するための入力スイッチを兼ねている。そのため、散剤の分包を行わずに錠剤のみの分包を行う場合であっても、仕切手段５０４を処方データ（分包数）に基づいた位置へセットする必要がある。つまり、仕切手段５０４のセット位置は、薬剤が散剤であるか錠剤であるかを問わず、分包手段で分包すべき分包数に応じて定まる。
【０００５】
ここで、散剤収容枡５０３は分包数に対応する目盛が記載された目盛部５０５を備えており、散剤収容枡５０３への散剤の投入、あるいは、錠剤投入部５０２への錠剤の投入に先立ち、ユーザーは目盛部５０５を見つつ分包数に一致する目盛に合わせて仕切手段５０４をセットする。
【０００６】
この仕切手段５０４をセットすることに関し、特許文献１には、薬剤分包装置が液晶ディスプレイ等の表示装置を備え、この表示装置に仕切手段のセット位置を表示させるとの記載がある（００４５段落、図１４）。ユーザーは表示装置に表示された仕切手段のセット位置に一致する目盛を目盛部を見て探し出し、探し出した目盛に合わせて仕切手段をセットする。
【先行技術文献】
【特許文献】
【０００７】
【特許文献１】特許第４２７８２５９号公報
【発明の概要】
【発明が解決しようとする課題】
【０００８】
ところが、特許文献１に記載された薬剤分包装置では、表示装置が散剤収容枡から離れた位置にある。そのため、前記のように目盛を探し出す際に、ユーザーは表示装置の表示内容を記憶し、その上で視線を表示装置から目盛部に移動してから目盛を探し出す必要があって面倒であり、操作性が悪かった。
【０００９】
そこで本発明は、ユーザーが簡単かつ正確に仕切手段のセット位置を認識でき、操作性の良い薬剤分包装置を提供することを課題とする。
【課題を解決するための手段】
【００１０】
本発明は、薬剤を、入力された処方データに基づいて所定の分包数に分包する薬剤分包装置において、散剤が未分割の状態で投入される散剤投入部と、前記散剤投入部に投入された散剤等、薬剤分包装置に供給された薬剤を分包する分包手段と、薬剤分包装置の各部を制御する制御部とを備え、前記散剤投入部は、長手方向に延びるように設けられ、散剤を収容可能な散剤収容枡と、当該散剤収容枡の内部において長手方向に移動可能とされ、当該長手方向における所定位置にセットされることで当該散剤収容枡の内部を仕切ることが可能な仕切手段と、当該散剤収容枡の近傍にて長手方向に延びるように設けられた位置表示手段とを有し、前記制御部は、前記入力された処方データから得られる分包数に基づいて、前記散剤収容枡における前記仕切手段のセット位置を前記位置表示手段に表示させることを特徴としている。
【００１１】
なお、前記「近傍」とは、ユーザーが前記入力された処方データに基づいた位置へ仕切手段をセットする際に、散剤収容枡を見たユーザーの視野に入る程度の位置関係を意味する。
【００１２】
前記構成によると、制御部が、入力された処方データから得られる分包数に基づいて、散剤収容枡における仕切手段のセット位置を位置表示手段に表示させることにより、薬剤分包装置に供給された薬剤が散剤であるか錠剤であるかを問わず、ユーザーはいちいち視線を移動させることなく、仕切手段をセットできる。
【００１３】
そして、前記位置表示手段は、前記長手方向に並んで配置され、分包数に対応した複数の単位表示体からなることが好ましい。
【００１４】
前記好ましい構成によると、位置表示手段が、長手方向に並んで配置され、分包数に対応した複数の単位表示体からなることにより、分包数に基づいた仕切手段のセット位置を正確に表示できる。
【００１５】
そして、前記仕切手段は、散剤を分包する場合に、前記散剤収容枡の内部を散剤投入領域と散剤非投入領域とに仕切るものであり、前記制御部は、前記位置表示手段のうち、前記処方データに基づいた、前記仕切手段のセット位置に対応する単位表示体を第一の態様で表示させ、前記散剤非投入領域に対応する単位表示体を前記第一の態様とは異なる第二の態様で表示させることが好ましい。
【００１６】
前記好ましい構成によると、制御部が仕切手段のセット位置に対応する単位表示体を第一の態様で表示させ、散剤非投入領域に対応する単位表示体を前記第一の態様とは異なる第二の態様で表示させることにより、仕切手段のセット位置をユーザーに報知でき、かつ、ユーザーによる散剤非投入領域への散剤の誤投入を抑制できる。なお、前記「第一の態様」及び「第二の態様」とは、各単位表示体の表示態様の区別のために用いた表現に過ぎず、当該区別を超えて本発明を制限的に解釈するものではない。
【００１７】
そして、前記仕切手段は、散剤を分包する場合に、前記散剤収容枡の内部を散剤投入領域と散剤非投入領域とに仕切るものであり、前記制御部は、前記位置表示手段のうち、前記処方データに基づいた、前記仕切手段のセット位置に対応する単位表示体を第一の態様で表示させ、前記散剤非投入領域に対応する単位表示体を前記第一の態様とは異なる第二の態様で表示させ、前記散剤投入領域に対応する単位表示体を前記第二の態様と異なる第三の態様で表示させることが好ましい。
【００１８】
前記好ましい構成によると、制御部が仕切手段のセット位置に対応する単位表示体を第一の態様で表示させ、散剤非投入領域に対応する単位表示体を前記第一の態様とは異なる第二の態様で表示させ、散剤投入領域に対応する単位表示体を前記第二の態様と異なる第三の態様で表示させることにより、仕切手段のセット位置をユーザーに報知でき、かつ、ユーザーによる散剤非投入領域への散剤の誤投入を抑制できる。なお、前記「第一の態様」乃至「第三の態様」とは、各単位表示体の表示態様の区別のために用いた表現に過ぎず、当該区別を超えて本発明を制限的に解釈するものではない。
【００１９】
そして、前記制御部は、前記仕切手段が前記処方データに基づいたセット位置にセットされると、前記第一の態様で表示がなされていた単位表示体を当該態様とは異なる態様の表示に変化させるものとすることが好ましい。
【００２０】
前記好ましい構成によると、制御部が、仕切手段が処方データに基づいたセット位置にセットされると、前記第一の態様で表示がなされていた単位表示体を当該態様とは異なる態様の表示に変化させることにより、仕切手段が処方データに基づいたセット位置に正しくセットされたことをユーザーが認識できる。
【発明の効果】
【００２１】
本発明は、ユーザーがいちいち視線を移動させることなく仕切手段をセットできるため、ユーザーが簡単かつ正確に仕切手段のセット位置を認識でき、操作性の良い薬剤分包装置を提供できる。
【図面の簡単な説明】
【００２２】
【図１】本発明の一実施形態に係る薬剤分包装置のうち上部を示す斜視図である。
【図２】同実施形態に係る薬剤分包装置の各部制御に関するブロック図である。
【図３】同実施形態に係る薬剤分包装置の位置表示手段の制御に関するフロー図である。
【図４】同実施形態に係る薬剤分包装置の位置表示手段の表示状態を示す概略図であり、（Ａ）は処方データの入力後であって仕切手段のセット前を示し、（Ｂ）は仕切手段のセット後を示す。
【図５】従来の薬剤分包装置の一例を示す斜視図である。
【発明を実施するための形態】
【００２３】
次に、本発明につき、一実施形態を取り上げて説明を行う。
【００２４】
本実施形態の薬剤分包装置１０は、散剤投入部１、錠剤投入部２、分包手段、印字手段、コントローラ３を備えている。
【００２５】
散剤投入部１は、散剤収容枡１１と仕切手段１２とを有している。散剤収容枡１１は「Ｖ枡」とも呼ばれるもので、薬剤分包装置１０の正面側から見て左右の長手方向に延びるように設けられたもので、上方が開放されており、ここにユーザーが分包するための散剤を投入する。
【００２６】
この散剤収容枡１１は、固定板１１１と、この固定板１１１に対して下側部分が当接及び離反可能に設けられた可動板１１２とを備えており、前記の各板１１１，１１２間に形成される縦断面がＶ字状の空間に、ユーザーが投入した散剤を一時的に収容することができる。ユーザーは、散剤収容枡１１に収容された散剤の表面をヘラ等を用いて均した上で、薬剤分包装置１０の本体（前記の散剤投入部１、錠剤投入部２、分包手段、印字手段の設けられた部分）に設けられた入力部５２（図２参照）を操作することで、制御部５１（図２参照）が固定板１１１に対して可動板１１２の下側部分が離反するように当該可動板を１１２を移動させ、薬剤分包装置１０の内部に設けられた分割器（図示しない）へと散剤を落下させることができる。分割器に入った散剤は後に分包手段により分包される。なお、本実施形態のように入力部５２ではなく、コントローラ３を操作することで散剤の落下をさせても良い。
【００２７】
仕切手段１２は板状あるいはブロック状のものであって、散剤収容枡の内部（前記Ｖ字状の空間）において長手方向に移動可能とされ、散剤の投入に先立ち、ユーザーによって前記入力された処方データに基づいた位置へスライドさせることでセットがなされる（セットの仕方については後述する）。このセットにより、仕切手段１２は、散剤を分包する場合に、散剤収容枡１１の内部を散剤投入領域１１ａと散剤非投入領域１１ｂとに仕切る（図４（Ｂ）参照。
【００２８】
次に、錠剤投入部２は薬剤分包装置１０の上面に設けられたものであって、上側から見て前後左右に配置された複数の小分け枡２１…２１を有しており、ここにユーザーが手撒きで錠剤を供給する。そして、各小分け枡２１…２１の下部には開閉可能なシャッター２２が設けられており、ユーザーが入力部５２を操作することで、制御部５１がこのシャッター２２を開放し、落下した錠剤は後に分包手段により分包される。なお、本実施形態のように入力部５２ではなく、コントローラ３を操作することで錠剤の落下をさせても良い。
【００２９】
分包手段（図示しない）は、薬剤分包装置１０の内部に設けられており、散剤投入部１１及び錠剤投入部２に投入された散剤・錠剤、つまり、薬剤分包装置１０に供給された薬剤を包装シートで１包毎に分包する分包処理を行うものである。
【００３０】
なお本実施形態では、仕切手段１２が分包手段で分包すべき分包数を指定するための入力スイッチを兼ねている。そのため、薬剤分包装置１０の使用方法によって、散剤の分包を行わずに錠剤のみの分包を行う場合であっても、仕切手段１２を処方データに基づいた位置へセットする必要がある。
【００３１】
印字手段（図示しない）は、包装シートの外面に処方データに基づいた服用時期等の印字を行うものである。
【００３２】
コントローラ３（図１上に破線表示）は、ユーザーにより処方データが入力され、当該処方データを薬剤分包装置１０の本体に設けられた制御部５１（図２参照）に送り、制御部５１によって薬剤分包装置１０の各部の動作を行わせるためのものである。
【００３３】
本実施形態のコントローラ３としては、薬剤分包装置１０の本体とデータ及び信号の授受ができるように接続されたノートパソコンが用いられる。このノートパソコンは、薬剤分包装置１０の上面の一部であるコントローラ配置部４に載せて用いられる。また、このノートパソコンはハードウェアとしては汎用のものであって、ユーザーにより入力された処方データあるいは外部からの通信によって得た処方データを処理し、当該処方データに基づいて薬剤分包装置１０の各部の動作を行わせるためのソフトウェアがインストールされたものである。
【００３４】
なお、このようにノートパソコンを用いず、コントローラ３を薬剤分包装置１０の本体と一体に設けても良い。また、ノートパソコンをコントローラ３として用いる場合、入力手段（キーボード）と表示手段（ディスプレイ）とが一体となるが、薬剤分包装置１０の本体とコントローラ３とを一体とした場合においては、入力手段と表示手段とを離して設けても良い。
【００３５】
本実施形態では、ユーザーが１日の服用回数及び投与日数を含む処方データを入力手段（キーボード）から入力すると、コントローラ３が分包数を算出して表示手段（ディスプレイ）に表示する。このコントローラ３で算出された分包数は、薬剤分包装置１０の本体内の制御部５１により取得され、制御部５１は、当該分包数に応じた表示を位置表示手段１３（後述）に表示させる。なお、このコントローラ３による分包数に応じた位置表示手段１３の表示は、コントローラから処方データが入力された場合に限ってなされる。一方、処方データが入力されない場合、コントローラ３は位置表示手段１３の表示に関与せず、ユーザーがセットした仕切手段１２のセット位置に対応する分包数以下の分包数に対応する全ての単位表示体（ＬＥＤ）１３１…１３１を点灯表示する（図３参照）。
【００３６】
次に、本実施形態の散剤投入部１は、前記の構成に加え、位置表示手段１３を有している。この位置表示手段１３は、散剤収容枡１１の近傍（本実施形態では散剤収容枡１１の背面側に隣接する位置）に、散剤収容枡１１と長手方向に並んで配置された複数の単位表示体１３１…１３１からなる。単位表示体１３１は本実施形態ではＬＥＤとされており、１包単位の一定間隔で長手方向に並んで配置されている。そして、各単位表示体１３１…１３１の近くには分包数を示す数字１３２が表示されている（図１上では部分的に表示しているように描かれているが、実際には全ての単位表示体１３１の近くに表示されている）。このように位置表示手段１３が複数の単位表示体１３１…１３１からなることにより、分包数に基づいた仕切手段１２のセット位置を正確に表示できる。
【００３７】
位置表示手段１３は、本実施形態のＬＥＤからなるもの以外に、例えば液晶表示体（ＬＣＤ）等、光、色彩、模様により表示態様を変化させ、ユーザーに対して視覚的に報知できる手段であれば、種々の手段を用いることができる。この表示態様を変化させることに関しては、例えばＬＥＤの場合、点灯、点滅、消灯と、少なくとも３種の表示態様に変化させることができ、色彩を変えて点灯及び点滅をさせたり点滅周期を変化させることにより、更に多種の表示態様に変化させることができる。また、位置表示手段１３は、本実施形態のように複数の単位表示体１３１…１３１からなるもの以外に、長手方向に細長い単一の表示体であっても良い。
【００３８】
この位置表示手段１３は、コントローラ３に処方データが入力された際、当該処方データに対応した仕切手段１２のセット位置を表示することで、ユーザーに当該セット位置を報知する。詳しくは後述する。
【００３９】
次に、ブロック図である図２を参照しつつ、薬剤分包装置１０の各部制御について簡単に説明する。この各部制御のため、薬剤分包装置１０には制御部５１が設けられており、この制御部５１に入力部５２、表示部５３、記憶部５４、仕切手段位置検出部５５、各部駆動系５６が接続されている。
【００４０】
制御部５１は、薬剤分包装置１０全体の制御を司る部分である。入力部５２はコントローラ３とは別に薬剤分包装置１０の設定入力を行う部分で、表示部５３は当該設定入力に関する表示がなされる部分である（処方入力及び分包に関しての入力及び表示はコントローラ３によってなされる）。記憶部５４はコントローラ３から制御部５１が取得した処方データを一時的に記憶しておくことのできる部分である。仕切手段位置検出部５５は散剤投入部１に設けられたセンサーであり、散剤収容枡１１における仕切手段１２の位置を検出する。各部駆動系５５は、薬剤分包装置１０の各部（例えば、散剤投入部１の可動板１１２、錠剤投入部２のシャッター２２、分包手段、印字手段）を駆動させるための複数のモーター等の機構である。
【００４１】
前記仕切手段位置検出部５５のセンサーは、仕切手段１２に設けられた磁石と、散剤収容枡１１の固定板１１１の裏側に、１包単位の一定間隔で長手方向に並んで配置された（つまり、単位表示体１３１…１３１の配置と同じである）複数のホールＩＣとから構成されている（図示しない）。各ホールＩＣに仕切手段１２の磁石が接近すると、この磁石による磁場を検出したホールＩＣは、制御部５１に対して信号を出力する。制御部５１はこの信号を検知することによって、散剤収容枡１１の内部における仕切手段１２の位置を正確に把握できる。
【００４２】
次に、フロー図である図３を参照しつつ、本実施形態の制御部５１における位置表示手段１３の制御について説明する。まず、分包手段が分包可能になった状態から位置表示手段１３の制御が開始される（Ｓ１）。次に、前回分包時のＬＥＤ設定がクリア（初期化）される（Ｓ２）。
【００４３】
次に、制御部５１は、コントローラ３からの処方データ入力の有無を判断する（Ｓ３）、処方データの入力がある場合は、コントローラ３から処方データを取得する。そして特に、分包数（のデータ）を取得する（Ｓ４）。そして次に、制御部５１は、散剤投入部１における仕切手段１２の現在位置を取得する（Ｓ５）。
【００４４】
本実施形態では、前記のようにコントローラ３が分包数を算出するため、制御部５１がコントローラ３から取得した処方データには分包数（のデータ）が含まれているが、これに限らず、制御部５１は分包数（のデータ）が含まれていない処方データを取得し、制御部５１内の演算によって分包数を求めても良い。
【００４５】
そして、Ｓ４で取得した分包数に対応する仕切手段１２のセット位置と、Ｓ５で得た仕切手段１２の現在位置が同じかどうかを判断する（Ｓ６）。異なっていると判断した場合は制御部５１のＬＥＤ設定を点滅状態に設定した上で（Ｓ７）、図４（Ａ）に示すように、制御部５１は、Ｓ４で取得した分包数以下の分包数に対応する全ての単位表示体（ＬＥＤ）１３１…１３１（つまり、仕切手段１２のセット位置を表示する単位表示体（ＬＥＤ）１３１ａから図示左側にある全ての単位表示体（ＬＥＤ）１３１…１３１）を点滅表示させる（Ｓ８）。なお、前記点滅表示以外の単位表示体（ＬＥＤ）１３１…１３１は消灯している。その後、Ｓ５以降の処理が繰り返される。
【００４６】
つまり、制御部５１は、仕切手段１２のセット位置に対応する単位表示体（ＬＥＤ）１３１ａを第一の態様で表示（点滅表示）させ、散剤収容枡１１の散剤非投入領域１１ｂに対応する単位表示体（ＬＥＤ）１３１…１３１を第二の態様で表示（消灯表示）させ、散剤収容枡１１の散剤投入領域１１ａに対応する単位表示体（ＬＥＤ）１３１…１３１を第三の態様で表示（点滅表示）させる。本実施形態では、第一の表示態様と第三の表示態様とがいずれも同じ点滅表示であるが、異なる表示態様であっても良い。
【００４７】
ユーザーが前記点滅表示の単位表示体（ＬＥＤ）１３１ａの位置に仕切手段１２をセットした場合は、前記Ｓ６にて、分包数に対応する仕切手段１２のセット位置と、Ｓ５で得た仕切手段１２の現在位置が同じであると判断し、制御部５１のＬＥＤ設定を点灯状態に設定した上で（Ｓ９）、図４（Ｂ）に示すように、Ｓ４で取得した分包数以下の分包数に対応する全ての単位表示体（ＬＥＤ）１３１…１３１（つまり、仕切手段１２のセット位置を表示する単位表示体（ＬＥＤ）１３１ａから図示左側にある全ての単位表示体（ＬＥＤ）１３１…１３１）を点灯表示に変化させる（Ｓ１０）。つまり、制御部５１は、前記第一及び第三の態様で表示（点滅表示）がなされていた単位表示体（ＬＥＤ）１３１…１３１を当該態様とは異なる態様の表示（点灯表示）に変化させる。これにて制御が終了する（Ｓ１１）。
【００４８】
ちなみに、前記Ｓ３で処方データの入力がない場合には、制御部５１は散剤投入部１における仕切手段１２の現在位置を取得し（Ｓ１２）、制御部５１のＬＥＤ設定を点灯状態に設定した上で（Ｓ１３）、前記仕切手段１２の現在位置に対応する分包数以下の分包数に対応する全ての単位表示体（ＬＥＤ）１３１…１３１を点灯表示に変化させる（Ｓ１０）。これにて制御が終了する（Ｓ１１）。
【００４９】
前記Ｓ７及びＳ８のように、点滅表示の単位表示体（ＬＥＤ）１３１…１３１のうち、図４（Ａ）に示す右端のものが単位表示体（ＬＥＤ）１３１ａとなるが、この単位表示体（ＬＥＤ）１３１ａが仕切手段１２のセット位置を表示するため、ユーザーは、散剤収容枡１１における仕切手段１２のセット位置を容易に知ることができる。しかも、単位表示体（ＬＥＤ）１３１…１３１は散剤収容枡１１の近傍に配置されているため、散剤収容枡１１を見たユーザーが、いちいち視線を移動させることなく、図示右端の単位表示体（ＬＥＤ）１３１ａを視野に入れることができる。そのため、ユーザーは簡単かつ正確に仕切手段１２のセット位置を知ることができる。そしてユーザーは、点滅又は点灯表示している全ての単位表示体（ＬＥＤ）１３１…１３１により、散剤収容枡１１において散剤投入領域１１ａ（図４（Ｂ）参照）を迷わずに認識でき、散剤非投入領域１１ｂへの散剤の誤投入を抑制できる。これらにより、薬剤分包装置１０の操作性が向上する。
【００５０】
なお、分包数が複数である場合は、仕切手段１２のセット位置を表示する単位表示体（ＬＥＤ）１３１ａと散剤投入領域１１ａに対応する単位表示体（ＬＥＤ）１３１…１３１とは異なるが、分包数が１包の場合に限り、仕切手段１２のセット位置を表示する単位表示体（ＬＥＤ）１３１ａが散剤投入領域１１ａに対応する単位表示体（ＬＥＤ）１３１を兼ねるものとなる。
【００５１】
そして、前記Ｓ９及びＳ１０のように、単位表示体（ＬＥＤ）１３１…１３１の表示態様が変化（点滅表示から点灯表示に変化）することにより、仕切手段１２が入力された処方データに基づいた位置に正しくセットされたことをユーザーが知ることができる。ちなみに、仕切手段１２が正しくセットされない限り、制御部５１は分包を開始するための信号を分包手段に発信しないため、分包動作が開始されない。以上により、人為的な仕切手段１２のセットミスを排除し、処方データに基づいて正しく分包を行うことができる。
【００５２】
また、例えば点滅表示と点灯表示のように、個々の単位表示体（ＬＥＤ）１３１の表示態様を分けることにより、複数の情報（本実施形態では仕切手段１２のセット位置と散剤収容枡１１において散剤を投入する範囲）を表示できる。
【００５３】
なお本実施形態では、前記のように単位表示体（ＬＥＤ）１３１を点滅表示させたり点灯表示させたりすることで、位置表示手段１３のユーザーへの報知内容を区別するようにしているが、これに限らず、色彩あるいは模様を変化させることにより報知内容を区別するものであっても良い。
【００５４】
また、コントローラ３から入力された処方データに基づく一連の分包処理が完了して、薬剤分包装置１０内部に残った散剤の一部、及び、錠剤等が欠けることにより発生した粉塵を回収する集塵動作が行われた後に、次回処方についての処方データがコントローラ３より入力されている場合には、この次回の処方データに基づいて仕切手段１２のセット位置を単位表示体（ＬＥＤ）１３１に表示するようにしても良い。
【符号の説明】
【００５５】
１０        薬剤分包装置
１          散剤投入部
１１        散剤収容枡
１１ａ      散剤投入領域
１１ｂ      散剤非投入領域
１２        仕切手段
１３        位置表示手段
１３１      単位表示体、ＬＥＤ
１３１ａ    仕切手段のセット位置に当たる単位表示体
５１        制御部
【図１】
0005870403.tif 000002
【図２】
0005870403.tif 000003
【図３】
0005870403.tif 000004
【図４】
0005870403.tif 000005
【図５】
0005870403.tif 000006